(57)【要約】【課題】がけ崩れ災害が起きる様子やがけ崩れ防止技術を一般の人々に手軽に説明できるようにした低コストのがけ崩れ対策展示用模型装置を提供する。【解決手段】模型本体１に，対策地形表示部Ａと未対策地形表示部Ａ′とが互いに横並びに設定され，各々の地形表示部Ａ，Ａ′には，建物模型Ｃを含む平地表示部分Ａｆ，Ａｆ′と，該平地表示部分Ａｆ，Ａｆ′より急勾配で立ち上がるがけ地表示部分Ａｇ，Ａｇ′とが設けられ，未対策地形表示部Ａ′のがけ地表示部分Ａｇ′には，通常は該がけ地表示部分Ａｇ′の表面部を構成する土塊ブロックＢが載置され，この土塊ブロックＢを未対策地形表示部Ａ′のがけ地表示部分Ａｇ′より強制的に滑り落すべく該土塊ブロックＢをその内側から随時に押出し可能な強制崩落手段Ｄが模型本体１に付設され，対策地形表示部Ａのがけ地表示部分Ａｇには対策技術表示部Ｔが設けられる。【選択図】　　図１
2004133004.tif 000002
【特許請求の範囲】
【請求項１】
車両により運搬可能な模型本体（１）に，対策地形表示部（Ａ）と未対策地形表示部（Ａ′）とが互いに横並びに設定され，その各々の地形表示部（Ａ，Ａ′）には，建物模型（Ｃ）を含む平地表示部分（Ａｆ，Ａｆ′）と，該平地表示部分（Ａｆ，Ａｆ′）より急勾配で立ち上がるがけ地表示部分（Ａｇ，Ａｇ′）とが設けられ，未対策地形表示部（Ａ′）のがけ地表示部分（Ａｇ′）には，通常は該がけ地表示部分（Ａｇ′）の表面部を構成する土塊ブロック（Ｂ）が載置され，この土塊ブロック（Ｂ）を未対策地形表示部（Ａ′）のがけ地表示部分（Ａｇ′）より強制的に滑り落すべく該土塊ブロック（Ｂ）をその内側から随時に押出し可能な強制崩落手段（Ｄ）が模型本体（１）に付設され，対策地形表示部（Ａ）のがけ地表示部分（Ａｇ）には，がけ崩れ防止のための対策技術手段（ｔ１〜ｔ７）を表示した対策技術表示部（Ｔ）が設けられることを特徴とする，がけ崩れ対策展示用模型装置。
【請求項２】
未対策地形表示部（Ａ′）のがけ地表示部分（Ａｇ′）には，複数の土塊ブロック要素（ｂ）より分割構成した前記土塊ブロック（Ｂ）を載置させる凹面（２）が形成され，前記強制崩落手段（Ｄ）は，複数の土塊ブロック要素（ｂ）をそれらの内側から同時に押出し得るように構成されたことを特徴とする，請求項１に記載のがけ崩れ対策展示用模型装置。
【請求項３】
前記強制崩落手段（Ｄ）は，前記土塊ブロック（Ｂ）を内側から機械的に押出しし得るよう模型本体（１）内に配設された押出し手段（Ｄｐ）と，この押出し手段（Ｄｐ）を前記土塊ブロック（Ｂ）より離れた位置で遠隔操作し得る遠隔操作部（Ｄｃ）とを備えたことを特徴とする，請求項１又は２に記載のがけ崩れ対策展示用模型装置。
【発明の詳細な説明】
【０００１】
【発明の属する技術分野】
本発明は，がけ崩れ災害が起きる様子やがけ崩れ防止技術を一般の人に簡単に見せられるようにして，がけ崩れ災害の怖さやがけ崩れ対策技術の原理等を一般に広く知らしめるためのがけ崩れ対策展示用模型装置に関する。
【０００２】
【従来の技術】
急傾斜地が多い日本の国土では，大雨等のたびにがけ崩れ災害が各地で頻発している。そこでがけ崩れ災害の怖さや災害発生の様子を一般の人に知らしめるために，従来では，急傾斜地に大掛かりながけ地の実験モデルを作り，その実験モデルに実際にがけ崩れを起こさせ，その様子を人々に見せるようにしていた。
【０００３】
【発明が解決しようとする課題】
ところが上記のような大掛かりながけ地の実験モデルは，車両により運搬不可能である上，設備コストが嵩み，また一度，がけ崩れ実験を起こしてしまうと，これを修復して再実験することが容易でない等の問題があった。
【０００４】
本発明は，斯かる事情に鑑みてなされたものであって，がけ崩れ災害が起きる様子やがけ崩れ防止技術を一般の人に手軽に且つ容易に説明できるようにした低コストのがけ崩れ対策展示用模型装置を提供することを目的としている。
【０００５】
【課題を解決するための手段】
上記目的を達成するために請求項１の発明は，車両により運搬可能な模型本体に，対策地形表示部と未対策地形表示部とが互いに横並びに設定され，その各々の地形表示部には，建物模型を含む平地表示部分と，該平地表示部分より急勾配で立ち上がるがけ地表示部分とが設けられ，未対策地形表示部のがけ地表示部分には，通常は該がけ地表示部分の表面部を構成する土塊ブロックが載置され，この土塊ブロックを未対策地形表示部のがけ地表示部分より強制的に滑り落すべく該土塊ブロックをその内側から随時に押出し可能な強制崩落手段が模型本体に付設され，対策地形表示部のがけ地表示部分には，がけ崩れ防止のための対策技術手段を表示した対策技術表示部が設けられることを特徴としている。
【０００６】
上記特徴によれば，強制崩落手段により土塊ブロックをその内側から強制的に押出すことで，土塊ブロックを未対策地形表示部のがけ地表示部分より強制的に滑り落すことができるから，その滑り落ちた土塊ブロックが直下の平地表示部分の建物模型を直撃する様子が簡単に見られ，がけ崩れ災害の怖さを見る者に知らしめることができる。一方，対策地形表示部のがけ地表示部分には，がけ崩れ防止のための対策技術手段を表示した対策技術表示部が設けられるため，その対策技術手段がどのようなものかを見る者に判り易く表示することができる。しかも，対策地形表示部と未対策地形表示部とが互いに横並びに置かれて，両者の対比観察が容易であるため，その対策地形表示部におけるがけ崩れ防止の対策技術手段の有効性を，未対策地形表示部における前記した土塊ブロックの滑り落ちの様子と相俟って際立たせ，強調できることから，がけ崩れ防止対策の重要性を見る者に強く印象付けることができる。
【０００７】
また請求項２の発明は，請求項１の上記特徴に加えて，未対策地形表示部のがけ地表示部分には，複数の土塊ブロック要素より分割構成した前記土塊ブロックを載置させる凹面が形成され，前記強制崩落手段は，複数の土塊ブロック要素をそれらの内側から同時に押出し得るように構成されたことを特徴としており，この特徴によれば，土塊ブロックを複数の土塊ブロック要素に分割したことで，がけの崩落の様子がよりリアルに表現できるようになる。またこのように土塊ブロックを分割構成しても，その複数の土塊ブロック要素を未対策地形表示部のがけ地表示部分に，上記凹面を以て安定よく載置，保持できるから，がけ地表示部を滑り落ちた各土塊ブロック要素を元の位置に戻す修復作業を容易且つ迅速に行なうことができ，またその複数の土塊ブロック要素を強制崩落手段により一斉に押し出すことができるから，土塊ブロックを分割構成してもその全部を確実に滑り落すことができる。
【０００８】
また請求項３の発明は，請求項１又は２の上記特徴に加えて，前記強制崩落手段が，前記土塊ブロックを内側から機械的に押出しし得るよう模型本体内に配設された押出し手段と，この押出し手段を前記土塊ブロックより離れた位置で遠隔操作し得る遠隔操作部とを備えたことを特徴としており，この特徴によれば，土塊ブロックを強制的に滑り落す操作を，土塊ブロックより離れた模型本体の裏側や側方等より遠隔的に行なうことができるから，がけ崩れの様子が不自然に見えることが回避され，がけ崩れを一層リアルに表現することができる。
【０００９】
【発明の実施の形態】
本発明の実施の形態を，添付図面に例示した本発明の実施例に基づいて以下に具体的に説明する。
【００１０】
添付図面において，図１〜図４は本発明の一実施例を示すものであって，図１は，がけ崩れ対策展示用模型装置を示す全体斜視図，図２は，図１の２矢視側面図，図３は，がけ崩れの様子を見せる実験の開始直後の状態を示す図１対応図，図４は，がけ崩れの様子を見せる実験の終了状態を示す図１対応図である。
【００１１】
図１において，がけ崩れ対策展示用模型装置Ｍの模型本体１は，車両による運搬に適した軽量且つ硬質の合成樹脂，例えば硬質ウレタン等より形成され，該本体１の適所，例えば内部や底部等には，必要に応じて金属製の補強枠（図示せず）が一体的に結合される。また模型本体１の底部には，必要に応じて複数のキャスタ（図示せず）が相互に間隔をおいて設けられ，その場合には，模型装置Ｍは人力で走行駆動可能となり，またそれを車両に積み込み，積み卸しする際に便利である。
【００１２】
前記模型本体１には，その表面部において，対策地形表示部Ａ（図示例では右半部）と，未対策地形表示部Ａ′（図示例では左半部）とが互いに横並びに設定される。その各々の地形表示部Ａ，Ａ′には，建物模型Ｃを含む平地表示部分Ａｆ，Ａｆ′と，該平地表示部分Ａｆ，Ａｆ′より急勾配で立ち上がるがけ地表示部分Ａｇ，Ａｇ′とが設けられる。尚，各々の地形表示部Ａ，Ａ′には，建物模型Ｃの他，市街地や居住地域に通常見られる種々の施設や備品，例えば道路施設，自動車等の模型も必要に応じて置かれる。
【００１３】
また特に未対策地形表示部Ａ′のがけ地表示部分Ａｇ′には，通常は該がけ地表示部分Ａｇ′の表面部の一部（図示例では崩落想定箇所とされる中腹部）を構成する土塊ブロックＢが載置される。この土塊ブロックＢは，図示例では複数の土塊ブロック要素ｂ・・より分割構成されており，それら土塊ブロック要素ｂ・・は，がけ地表示部分Ａｇ′の表面部に比較的浅く形成した凹面２に纏めて収納，載置される。
【００１４】
そして，この土塊ブロックＢ（即ち複数の土塊ブロック要素ｂ・・）を未対策地形表示部Ａ′のがけ地表示部分Ａｇ′より強制的に滑り落すべく該土塊ブロックＢ（ｂ・・）をその内側から随時に押出し可能な強制崩落手段Ｄが，模型本体１に付設される。その強制崩落手段Ｄは，複数の土塊ブロック要素ｂ・・を内側から機械的に且つ一斉に押出しし得るよう模型本体１内に配設された押出し手段Ｄｐと，この押出し手段Ｄｐを遠隔操作し得るよう該模型本体１の側面に配設された操作部Ｄｃとを備える。
【００１５】
前記押出し手段Ｄｐとして，図示例では，前記凹面２内の複数の土塊ブロック要素ｂ・・を内側から機械的に且つ一斉に押出しし得る前進位置と同土塊ブロック要素ｂ・・に係合し得ない後退位置との間を移動可能な押圧子３と，この押圧子３に一端が連動連結されて模型本体１の貫通孔内を貫通するプッシュプルケーブル４とを備えており，このプッシュプルケーブル４の他端は，模型本体１の側面に配設された前記操作部としての操作ボタンＤｃに連動連結される。尚，前記押圧子３は，これが前進位置に進むときに一部の土塊ブロック要素ｂだけに係合してもよいし或いは複数の土塊ブロック要素ｂに略同時に係合できるようにしてもよいが，特に前者の場合には，該一部の土塊ブロック要素ｂを押し出すことで，これに連動して他の土塊ブロック要素ｂ・・全部が一斉に押し出されるように，前記凹面２の内での土塊ブロック要素ｂ・・相互の重なり具合に工夫をする必要がある。
【００１６】
一方，対策地形表示部Ａのがけ地表示部分Ａｇには，がけ崩れ防止のための種々の対策技術手段を表示した対策技術表示部Ｔが設けられる。この対策技術手段としては，例えば複合補強土工法ｔ１，土留柵工ｔ２，大間隔法枠工ｔ３，アンカー工ｔ４，落石防護柵ｔ５，重力式擁壁ｔ６，Ｕ字排水溝ｔ７等が，前記がけ地表示部分Ａｇの表面部に表示され，更にそのがけ地表示部分Ａｇの側面になされた地層表示部Ｅにも，一部の対策技術表示部Ｔが表示されている。
【００１７】
尚，未対策地形表示部Ａ′のがけ地表示部分Ａｇ′には，その表面部および側面部（地層表示部）において，上記のような対策技術表示部Ｔは一切設けられず，自然の状態の山肌等の地形表示がなされる。
【００１８】
次に前記実施例の作用を説明する。
【００１９】
前記実施例の模型装置Ｍを使用する場合は，先ず，これを自動車等の車両に積み込んで展示場所まで運搬し，そこに定置する。
【００２０】
図１に示すように，初期の状態，即ちがけ崩れ前の状態では，強制崩落手段Ｄの土塊ブロックＢ（従って土塊ブロック要素ｂ・・）は未対策地形表示部Ａ′のがけ地表示部分Ａｇ′の凹面２内に収納，載置され，当該がけ地表示部分Ａｇ′の崩落前の状態を表示している。
【００２１】
この状態より，がけ崩れの様子を見せるためには，先ず，図３に示すように強制崩落手段Ｄの押出し手段Ｄｐを操作部Ｄｃによる遠隔操作により押出し作動させて，土塊ブロックＢ（ｂ・・）を自重で未対策地形表示部Ａ′のがけ地表示部分Ａｇ′より滑り落すようにする。これにより，その滑り落ちた土塊ブロックＢ（ｂ・・）が直下の平地表示部分Ａｆ′の建物模型Ｃ等を直撃する様子が簡単に見られるため，がけ崩れ災害の怖さを見る者に判り易く効果的に知らしめることができる。尚，図４は，がけ崩れ後の状態を示しており，未対策地形表示部Ａ′のがけ地表示部分Ａｇ′より滑り落ちた土塊ブロックＢ（ｂ・・）が直下の平地表示部分Ａｆ′の建物模型Ｃ等を崩壊させている様子が見られる。
【００２２】
この場合，本実施例では，土塊ブロックＢを複数の土塊ブロック要素ｂ・・に分割しているため，がけ崩落の様子がよりリアルに表現可能となる。またこのように土塊ブロックＢを分割構成しても，その複数の土塊ブロック要素ｂ・・を，前記凹面２を以てがけ地表示部分Ａｇ′に安定よく載置，保持できるから，該がけ地表示部Ａｇ′を滑り落ちた各土塊ブロック要素ｂ・・を元位置に戻す修復作業も容易且つ迅速に行なえる。しかも，その複数の土塊ブロック要素ｂ・・を前記強制崩落手段Ｄにより一斉に押し出すことができるから，それら土塊ブロック要素ｂ・・を確実に滑り落すことができる。
【００２３】
また前記土塊ブロックＢ（複数の土塊ブロック要素ｂ・・）を強制的に滑り落す操作を，該土塊ブロックＢより離れた位置で遠隔的に行なうことができるから，がけ崩れの開始の様子が不自然に見えることが回避され，がけ崩れを一層リアルに表現することができる。
【００２４】
一方，対策地形表示部Ａのがけ地表示部分Ａｇには，その表面部と側面部（地層表示部Ｅ）において，がけ崩れ防止のための種々の対策技術手段ｔ１〜ｔ７を表示した対策技術表示部Ｔが設けられており，その対策技術手段ｔ１〜ｔ７がどのようなものかを見る者に判り易く表示可能となっている。
【００２５】
しかも，対策地形表示部Ａと未対策地形表示部Ａ′とが互いに横並びに置かれていて，見る者にとって両者の対比観察が容易であるため，その対策地形表示部Ａにおけるがけ崩れ防止の対策技術手段ｔ１〜ｔ７の有効性を，未対策地形表示部Ａ′における前記した土塊ブロックＢの滑り落ちの様子と相俟って際立たせて強調でき，これにより，がけ崩れ防止対策の重要性を見る者に強く印象付けることが可能となる。
【００２６】
以上，本発明の実施例について説明したが，本発明はその実施例に限定されることなく，本発明の範囲内で種々の実施例が可能である。例えば，前記実施例では，強制崩落手段Ｄの押出し手段Ｄｐを遠隔操作し得る操作部Ｄｃを，模型本体１の側面に配設したものを示したが，本発明では，操作部Ｄｃを模型本体１の背面や上面に配設してもよく，更にその操作部Ｄｃを模型本体１より離れた場所に配備することも可能である。
【００２７】
【発明の効果】
以上のように各請求項の発明によれば，強制崩落手段により土塊ブロックをその内側から押出すことで，土塊ブロックを未対策地形表示部のがけ地表示部分より強制的に滑り落すことができるから，その滑り落ちた土塊ブロックが直下の平地表示部分の建物模型を直撃する様子により，がけ崩れ災害の怖さを見る者に容易に判らせることができる。一方，対策地形表示部のがけ地表示部分には，がけ崩れ防止のための対策技術手段を表示した対策技術表示部が設けられるので，そのがけ崩れ防止のための対策技術を見る者に容易に理解させることができる。しかも，対策地形表示部と未対策地形表示部とが互いに横並びに置かれていて，両者の対比観察が容易であるため，その対策地形表示部におけるがけ崩れ対策技術の有効性を，未対策地形表示部における前記した土塊ブロックの滑り落ちの様子と相俟って際立たせ，強調できることから，がけ崩れ対策の重要性を見る者に強く印象付けることができる。また本発明の模型装置は車両により運搬可能な比較的小型の構造体であるから，どこにでも手軽に持ち運ぶことができ，また滑り落ちた土塊ブロックを元の位置に戻すことで模型装置を初期状態に簡単に修復できるから，模型装置を繰り返し使用でき，コスト節減に寄与することができる。
【００２８】
また特に請求項２の発明によれば，土塊ブロックが複数の土塊ブロック要素に分割構成されるので，がけの崩落の様子がよりリアルに表現できるようになる。またこのように土塊ブロックを分割構成しても，その複数の土塊ブロック要素を，未対策地形表示部のがけ地表示部分の凹面に安定よく載置，保持できるから，がけ地表示部を滑り落ちた各土塊ブロック要素を元の位置に戻す修復作業を容易且つ迅速に行なうことができ，またその複数の土塊ブロック要素を強制崩落手段により一斉に押し出すことができるから，土塊ブロックを分割構成してもその全部を確実に滑り落すことができる。
【００２９】
また特に請求項３の発明によれば，強制崩落手段が，土塊ブロックを内側から機械的に押出しし得るよう模型本体内に配設された押出し手段と，この押出し手段を土塊ブロックより離れた位置で遠隔操作し得る遠隔操作部とを備えるので，土塊ブロックを強制的に滑り落す操作を，該ブロックより離れた模型本体の裏側や側方等からでも的確に遠隔操作でき，これにより，がけ崩れの開始の様子が不自然に見えることが回避され，がけ崩れを一層リアルに表現することができる。
【図面の簡単な説明】
【図１】本発明の一実施例に係るがけ崩れ対策展示用模型装置を示す全体斜視図
【図２】図１の２矢視側面図
【図３】がけ崩れの様子を見せる実験の開始直後の状態を示す図１対応図
【図４】がけ崩れの様子を見せる実験の終了状態を示す図１対応図
【符号の説明】
Ａ・・・・・対策地形表示部
Ａｆ・・・・平地表示部分
Ａｇ・・・・がけ地表示部分
Ａ′・・・・未対策地形表示部
Ａｆ′・・・平地表示部分
Ａｇ′・・・がけ地表示部分
Ｂ・・・・・土塊ブロック
ｂ・・・・・複数の土塊ブロック
Ｃ・・・・・建物模型
Ｄ・・・・・強制崩落手段
Ｄｃ・・・・操作ボタン（操作部）
Ｄｐ・・・・押出し手段
Ｍ・・・・・がけ崩れ対策展示用模型装置
Ｔ・・・・・対策技術表示部
ｔ１・・・・複合補強土工法（対策技術手段）
ｔ２・・・・土留柵工（対策技術手段）
ｔ３・・・・大間隔法枠工（対策技術手段）
ｔ４・・・・アンカー工（対策技術手段）
ｔ５・・・・落石防護柵（対策技術手段）
ｔ６・・・・重力式擁壁（対策技術手段）
ｔ７・・・・Ｕ字排水溝（対策技術手段）
１・・・・・模型本体
２・・・・・凹面
【図１】
2004133004.tif 000003
【図２】
2004133004.tif 000004
【図３】
2004133004.tif 000005
【図４】
2004133004.tif 000006